【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
金属ナノ構造を基にした伝導性フィルムの仕事関数を調節する方法であって、該方法は、
複数の金属ナノ構造を提供することであって、各金属ナノ構造は、外側表面を有する、ことと、
該金属ナノ構造の該外側表面上に双極子表面層を形成することと
を含み、該双極子表面層は、複数の双極子配位子を含み、該双極子配位子は、該金属ナノ構造の表面領域に約１０−６〜１０−４モル毎ｍ２で存在する、方法。
【請求項２】
前記金属ナノ構造の前記外側表面上に前記双極子表面層を形成することは、
前記複数の金属ナノ構造と前記複数の双極子配位子とを含むインク構成物を形成することと、
該インク構成物を基板上にコーティングすることにより、前記伝導性フィルムを提供することと
を含む、請求項１に記載の方法。
【請求項３】
仕事関数を調節することは、双極子表面層のない金属ナノ構造の伝導性フィルム形態と比べて、該仕事関数を約０．８〜１．２ｅＶだけ増加させることを含む、請求項１または請求項２に記載の方法。
【請求項４】
前記双極子配位子は、極性分子である、請求項１〜３のうちの任意の１つに記載の方法。
【請求項５】
前記極性分子は、界面活性剤である、請求項４に記載の方法。
【請求項６】
前記界面活性剤は、陰イオンフッ素系界面活性剤である、請求項５に記載の方法。
【請求項７】
前記双極子配位子は、カルボン酸リチウムの陰イオンフッ素系界面活性剤である、請求項１〜６のうちの任意の１つに記載の方法。
【請求項８】
インク構成物であって、該インク構成物は、
複数の金属ナノワイヤと、
複数の双極子配位子と
を含み、該複数の双極子配位子は、該金属ナノ構造の表面領域に約１０−６〜１０−４モル毎ｍ２で存在する、インク構成物。
【請求項９】
前記双極子配位子は、前記金属ナノ構造の表面領域に約１０−５〜１０−４モル毎ｍ２で存在する、請求項８に記載のインク構成物。
【請求項１０】
前記金属ナノ構造は、銀のナノワイヤである、請求項８または請求項９に記載のインク構成物。
【請求項１１】
前記双極子配位子は、陰イオンフッ素系界面活性剤である、請求項８〜１０のうちの任意の１つに記載のインク構成物。
【請求項１２】
前記陰イオンフッ素系界面活性剤は、カルボン酸リチウムの陰イオンフッ素系界面活性剤である、請求項１１に記載のインク構成物。
【請求項１３】
界面活性剤をさらに含み、前記複数の金属ナノワイヤと該界面活性剤との重量比は、５６０：１〜５：１の範囲にある、請求項８〜１２のうちの任意の１つに記載のインク構成物。
【請求項１４】
粘度調整剤をさらに含む、請求項８〜１３のうちの任意の１つに記載のインク構成物。
【請求項１５】
前記粘度調整剤は、ＨＰＭＣである、請求項１４に記載のインク構成物。
【請求項１６】
有機発光ダイオード（ＯＬＥＤ）デバイスであって、該ＯＬＥＤデバイスは、
カソードと、
アノードと、
該カソードと該アノードとの間に配置された有機の放射性スタックと
を含み、該アノードは、複数の金属ナノ構造の伝導性フィルムを含み、各金属ナノ構造は、外側表面と、該外側表面上に配置された双極子表面層とを有し、該双極子表面層は、複数の双極子配位子を含み、該双極子配位子は、該金属ナノ構造の表面領域に約１０−６〜１０−４モル毎ｍ２で存在する、ＯＬＥＤデバイス。
【請求項１７】
前記双極子配位子は、前記金属ナノ構造の表面領域に１０−５〜１０−４モル毎ｍ２で存在する、請求項１６に記載のＯＬＥＤデバイス。
【請求項１８】
前記双極子配位子は、陰イオン界面活性剤である、請求項１６〜１７のうちの任意の１つに記載のＯＬＥＤデバイス。
【請求項１９】
前記アノードは、５．２〜５．７ｅＶの仕事関数を有する、請求項１６〜１８のうちの任意の１つに記載のＯＬＥＤデバイス。
【請求項２０】
金属ナノ構造を基にした伝導性フィルムの仕事関数を調節する方法であって、該方法は、
複数の金属ナノ構造を提供することであって、各金属ナノ構造は、外側表面を有する、ことと、
該金属ナノ構造の該外側表面上に双極子表面層を形成することと
を含み、該双極子表面層は、複数の双極子配位子を含み、仕事関数を調節することは、双極子表面層のない金属ナノ構造の伝導性フィルム形態と比べて、該仕事関数を約０．８〜１．２ｅＶだけ増加させることを含む、方法。
【請求項２１】
前記双極子配位子は、フッ素系界面活性剤である、請求項２０に記載の方法。
【請求項２２】
透明な電極であって、該透明な電極は、複数の金属ナノ構造を有する伝導性フィルムを含み、各金属ナノ構造は、外側表面と、該外側表面上に配置された双極子表面層とを有し、該双極子表面層は、複数の双極子配位子を含み、該透明な電極は、５．２〜５．７ｅＶの仕事関数を有する、透明な電極。
【請求項２３】
請求項２２に記載の透明な電極を含む、有機発光ダイオード（ＯＬＥＤ）デバイス。
【手続補正２】
【補正対象書類名】明細書
【補正対象項目名】００２１
【補正方法】変更
【補正の内容】
【００２１】
さらなる実施形態は、ＯＬＥＤデバイスを提供し、そのＯＬＥＤデバイスは、カソードと、アノードと、カソードとアノードとの間に配置された有機の放射性スタックとを含み、アノードは、複数の金属ナノ構造の伝導性フィルムを含み、各金属ナノ構造は、外側表面と、外側表面上に配置された双極子表面層とを有し、双極子表面層は、複数の双極子配位子を含む。
本願明細書は、例えば、以下の項目も提供する。
（項目１）
金属ナノ構造を基にした伝導性フィルムの仕事関数を調節する方法であって、該方法は、
複数の金属ナノ構造を提供することであって、各金属ナノ構造は、外側表面を有する、ことと、
該金属ナノ構造の該外側表面上に双極子表面層を形成することと
を含み、該双極子表面層は、複数の双極子配位子を含む、
方法。
（項目２）
前記金属ナノ構造の前記外側表面上に前記双極子表面層を形成することは、
前記複数の金属ナノ構造と前記複数の双極子配位子とを含むインク構成物を形成することと、
該インク構成物を基板上にコーティングすることにより、前記伝導性フィルムを提供することと
を含む、項目１に記載の方法。
（項目３）
仕事関数を調節することは、双極子表面層のない金属ナノ構造の伝導性フィルム形態と比べて、該仕事関数を約０．８〜１．２ｅＶだけ増加させることを含む、項目１または項目２に記載の方法。
（項目４）
前記双極子配位子は、極性分子である、項目１〜３のうちの任意の１つに記載の方法。
（項目５）
前記極性分子は、界面活性剤である、項目４に記載の方法。
（項目６）
前記界面活性剤は、陰イオンフッ素系界面活性剤である、項目５に記載の方法。
（項目７）
前記双極子配位子は、カルボン酸リチウムの陰イオンフッ素系界面活性剤である、項目１〜６のうちの任意の１つに記載の方法。
（項目８）
インク構成物であって、該インク構成物は、
複数の金属ナノワイヤと、
双極子配位子と
を含み、該双極子配位子は、該金属ナノ構造の表面領域に約１０−６〜１０−４モル毎ｍ２で存在する、インク構成物。
（項目９）
前記双極子配位子は、前記金属ナノ構造の表面領域に約１０−５〜１０−４モル毎ｍ２で存在する、項目８に記載のインク構成物。
（項目１０）
前記金属ナノ構造は、銀のナノワイヤである、項目８または項目９に記載のインク構成物。
（項目１１）
前記双極子配位子は、陰イオンフッ素系界面活性剤である、項目８〜１０のうちの任意の１つに記載のインク構成物。
（項目１２）
前記陰イオンフッ素系界面活性剤は、カルボン酸リチウムの陰イオンフッ素系界面活性剤である、項目１１に記載のインク構成物。
（項目１３）
界面活性剤をさらに含み、前記複数の金属ナノワイヤと該界面活性剤との重量比は、５６０：１〜５：１の範囲にある、項目８〜１２のうちの任意の１つに記載のインク構成物。
（項目１４）
粘度調整剤をさらに含む、項目８〜１３のうちの任意の１つに記載のインク構成物。
（項目１５）
前記粘度調整剤は、ＨＰＭＣである、項目１４に記載のインク構成物。
（項目１６）
有機発光ダイオード（ＯＬＥＤ）デバイスであって、該ＯＬＥＤデバイスは、
カソードと、
アノードと、
該カソードと該アノードとの間に配置された有機の放射性スタックと
を含み、該アノードは、複数の金属ナノ構造の伝導性フィルムを含み、各金属ナノ構造は、外側表面と、該外側表面上に配置された双極子表面層とを有し、該双極子表面層は、複数の双極子配位子を含む、ＯＬＥＤデバイス。
（項目１７）
前記双極子配位子は、前記金属ナノ構造の表面領域に１０−６〜１０−４モル毎ｍ２で存在する、項目１６に記載のＯＬＥＤデバイス。
（項目１８）
前記双極子配位子は、前記金属ナノ構造の表面領域に１０−５〜１０−４モル毎ｍ２で存在する、項目１６に記載のＯＬＥＤデバイス。
（項目１９）
前記双極子配位子は、陰イオン界面活性剤である、項目１６〜１８のうちの任意の１つに記載のＯＬＥＤデバイス。
（項目２０）
前記アノードは、５．２〜５．７ｅＶの仕事関数を有する、項目１７〜１９のうちの任意の１つに記載のＯＬＥＤデバイス。